(57)【要約】【課題】ネットワークアドレスが未設定のネットワークデバイスと既にネットワークアドレスが割り当てられているネットワークデバイスとを判別して表示する。【解決手段】ネットワークデバイスを探索するための第１のパケットを生成し、これをネットワーク上にブロードキャスト送信する。更に、デバイスを探索するための第２のパケットをネットワーク上にブロードキャスト送信する。第１のパケットに対する応答パケットを送信したネットワークデバイスと、第２のパケットに対する応答パケットを送信したネットワークデバイスとを比較して、ネットワークデバイスに対して情報設定がなされているか否かを表示する。【選択図】　　　図８
2004048649.tif 000002
【特許請求の範囲】
【請求項１】
ネットワークデバイス管理方法であって、
ネットワークデバイスを探索するための第１のデータをネットワーク上にブロードキャスト送信する第１送信ステップと、
前記第１送信ステップにより送信された第１のデータに対するネットワークデバイスからの第１応答データを受信する第１受信ステップと、
ネットワークデバイスを探索するための第２のデータをネットワーク上にブロードキャスト送信する第２送信ステップと、
前記第２送信ステップにより送信された第２のデータに対するネットワークデバイスからの第２応答データを受信する第２受信ステップと、
第１応答データを送信したネットワークデバイスと、第２応答データを送信したネットワークデバイスとを比較して、ネットワークデバイスに対する情報設定がなされているか否かをユーザが識別できるように、ネットワークデバイスの一覧を表示する一覧表示ステップと、
前記一覧の中からユーザにより選択されたネットワークデバイスに対して、情報の設定をするためのデータを送信する設定ステップと、
を有することを特徴とするネットワークデバイス管理方法。
【請求項２】
前記一覧表示ステップでは、ネットワークアドレスが未設定のネットワークデバイスと、既にネットワークアドレスが割り当てられているネットワークデバイスとを判別して表示することを特徴とする請求項１に記載のネットワークデバイス管理方法。
【請求項３】
ネットワークデバイスは、第２のデータの宛先ポート番号が所定のポート番号であり、かつネットワークアドレスが割当てられていない場合、第２応答データを送信しないことを特徴とする請求項１或いは２に記載のネットワークデバイス管理方法。
【請求項４】
第１応答データは、第１応答データを送信したネットワークデバイスの物理アドレスを含み、第２応答データは、第２応答データを送信したネットワークデバイスのネットワークアドレスを含むことを特徴とする請求項１乃至３のいずれかに記載のネットワークデバイス管理方法。
【請求項５】
前記一覧表示ステップでは、第１応答データのみを送信したネットワークデバイスに関しては、ネットワークデバイスの物理アドレスを表示し、第１応答データ及び第２応答データを送信したネットワークデバイスに関しては、ネットワークデバイスのＩＰアドレスを表示することを特徴とする請求項４に記載のネットワークデバイス管理方法。
【請求項６】
前記設定ステップでは、情報を設定するためのデータを、第１応答データに含まれる物理アドレスに対して送信することを特徴とする請求項４或いは５に記載のネットワークデバイス管理方法。
【請求項７】
第１応答データを送信したネットワークデバイスと、第２応答データを送信したネットワークデバイスとを比較して、情報設定がなされていないネットワークデバイスを自動的に特定する特定ステップと、
前記特定ステップにより特定されたネットワークデバイスに対して、情報を設定するためのデータを送信する自動設定ステップと、
を有することを特徴とする請求項１乃至５のいずれかに記載のネットワークデバイス管理方法。
【請求項８】
ネットワークデバイス管理方法であって、
ネットワークアドレスが設定されていないネットワークデバイスを探索する探索ステップと、
前記探索ステップによる探索で見つかったネットワークデバイスに、割り当て可能なネットワークデバイスとして管理されているネットワークアドレスのうちの１つを割り当てる割当ステップと、
ネットワークアドレスとネットワークデバイスの識別情報との組み合わせの一覧を表示ステップと、
を有することを特徴とするネットワークデバイス管理方法。
【請求項９】
ネットワークアドレスとネットワークデバイスを識別するための識別情報とを対応付けて記憶手段に記憶する記憶ステップと、
ネットワークに接続されたネットワークデバイスを探索する探索ステップと、
前記探索ステップによる探索で見つかったネットワークデバイスの識別情報に基づいて、前記探索ステップによる探索で見つかったネットワークデバイスの第１のネットワークアドレスを前記記憶手段において検索する検索ステップと、
前記検索ステップによる検索で見つかった第１のネットワークアドレスと、前記探索ステップによる探索で見つかったネットワークデバイスに割り当てられている第２のネットワークアドレスとを比較する比較ステップと、
前記比較ステップによる比較の結果、前記第１のネットワークアドレスと前記第２のネットワークアドレスが異なる場合には、前記記憶手段から、前記探索ステップによる探索で見つかったネットワークデバイスに関する情報を削除するとともに、前記第１のネットワークアドレスを、割り当て可能なネットワークデバイスとして管理するアドレス制御ステップと、
を有することを特徴とする請求項８に記載のネットワークデバイス管理方法。
【請求項１０】
ネットワークデバイス管理方法であって、
ネットワークに接続されたネットワークデバイスを探索する探索ステップと、ネットワークデバイスに対する情報設定がなされているか否かをユーザが識別できるように、前記探索ステップで見つかったネットワークデバイスの一覧を表示する一覧表示ステップと、
前記一覧の中からユーザにより選択されたネットワークデバイスに対して、情報の設定をするためのデータを送信する設定ステップと、
情報設定がなされていないネットワークデバイスを自動的に特定して、特定したネットワークデバイスに対して、情報を設定するためのデータを送信する自動設定ステップと、
を有することを特徴とするネットワークデバイス管理方法。
【請求項１１】
ネットワークデバイス管理方法であって、
ネットワークに接続されたネットワークデバイスを探索する探索ステップと、
探索によって見つかったネットワークデバイスのうち、ネットワークアドレスが設定されているネットワークデバイスと、ネットワークアドレスが設定されていないネットワークデバイスとを識別する識別ステップとを有することを特徴とするネットワークデバイス管理方法。
【請求項１２】
ネットワークデバイス管理プログラムであって、
ネットワークデバイスを探索するための第１のデータをネットワーク上にブロードキャスト送信する第１送信ステップと、
前記第１送信ステップにより送信された第１のデータに対するネットワークデバイスからの第１応答データを受信する第１受信ステップと、
ネットワークデバイスを探索するための第２のデータをネットワーク上にブロードキャスト送信する第２送信ステップと、
前記第２送信ステップにより送信された第２のデータに対するネットワークデバイスからの第２応答データを受信する第２受信ステップと、
第１応答データを送信したネットワークデバイスと、第２応答データを送信したネットワークデバイスとを比較して、ネットワークデバイスに対する情報設定がなされているか否かをユーザが識別できるように、ネットワークデバイスの一覧を表示する一覧表示ステップと、
前記一覧の中からユーザにより選択されたネットワークデバイスに対して、情報の設定をするためのデータを送信する設定ステップと、
をコンピュータに実行させることを特徴とするネットワークデバイス管理プログラム。
【請求項１３】
ネットワークデバイス管理プログラムであって、
ネットワークアドレスが設定されていないネットワークデバイスを探索する探索ステップと、
前記探索ステップによる探索で見つかったネットワークデバイスに、割り当て可能なネットワークデバイスとして管理されているネットワークアドレスのうちの１つを割り当てる割当ステップと、
ネットワークアドレスとネットワークデバイスの識別情報との組み合わせの一覧を表示ステップと、
をコンピュータに実行させることを特徴とするネットワークデバイス管理プログラム。
【請求項１４】
ネットワークデバイス管理プログラムであって、
ネットワークに接続されたネットワークデバイスを探索する探索ステップと、
ネットワークデバイスに対する情報設定がなされているか否かをユーザが識別できるように、前記探索ステップで見つかったネットワークデバイスの一覧を表示する一覧表示ステップと、
前記一覧の中からユーザにより選択されたネットワークデバイスに対して、情報の設定をするためのデータを送信する設定ステップと、
情報設定がなされていないネットワークデバイスを自動的に特定して、特定したネットワークデバイスに対して、情報を設定するためのデータを送信する自動設定ステップと、
をコンピュータに実行させることを特徴とするネットワークデバイス管理プログラム。
【請求項１５】
ネットワークデバイス管理プログラムであって、
ネットワークに接続されたネットワークデバイスを探索する探索ステップと、
探索によって見つかったネットワークデバイスのうち、ネットワークアドレスが設定されているネットワークデバイスと、ネットワークアドレスが設定されていないネットワークデバイスとを識別する識別ステップとをコンピュータに実行させることを特徴とするネットワークデバイス管理プログラム。
【請求項１６】
ネットワークデバイス制御装置であって、
ネットワークデバイスを探索するための第１のデータをネットワーク上にブロードキャスト送信する第１送信手段と、
前記第１送信手段により送信された第１のデータに対するネットワークデバイスからの第１応答データを受信する第１受信手段と、
ネットワークデバイスを探索するための第２のデータをネットワーク上にブロードキャスト送信する第２送信手段と、
前記第２送信手段により送信された第２のデータに対するネットワークデバイスからの第２応答データを受信する第２受信手段と、
第１応答データを送信したネットワークデバイスと、第２応答データを送信したネットワークデバイスとを比較して、ネットワークデバイスに対する情報設定がなされているか否かをユーザが識別できるように、ネットワークデバイスの一覧を表示する一覧表示手段と、
前記一覧の中からユーザにより選択されたネットワークデバイスに対して、情報の設定をするためのデータを送信する設定手段と、
を有することを特徴とするネットワークデバイス制御装置。
【請求項１７】
ネットワークデバイス制御装置であって、
ネットワークアドレスが設定されていないネットワークデバイスを探索する探索手段と、
前記探索手段による探索で見つかったネットワークデバイスに、割り当て可能なネットワークデバイスとして管理されているネットワークアドレスのうちの１つを割り当てる割当手段と、
ネットワークアドレスとネットワークデバイスの識別情報との組み合わせの一覧を表示手段と、
を有することを特徴とするネットワークデバイス制御装置。
【請求項１８】
ネットワークデバイス制御装置であって、
ネットワークに接続されたネットワークデバイスを探索する探索手段と、
ネットワークデバイスに対する情報設定がなされているか否かをユーザが識別できるように、前記探索手段で見つかったネットワークデバイスの一覧を表示する一覧表示手段と、
前記一覧の中からユーザにより選択されたネットワークデバイスに対して、情報の設定をするためのデータを送信する設定手段と、
情報設定がなされていないネットワークデバイスを自動的に特定して、特定したネットワークデバイスに対して、情報を設定するためのデータを送信する自動設定手段と、
を有することを特徴とするネットワークデバイス制御装置。
【請求項１９】
ネットワークデバイス制御装置であって、
ネットワークに接続されたネットワークデバイスを探索する探索手段と、
探索によって見つかったネットワークデバイスのうち、ネットワークアドレスが設定されているネットワークデバイスと、ネットワークアドレスが設定されていないネットワークデバイスとを識別する識別手段とを有することを特徴とするネットワークデバイス制御装置。
【発明の詳細な説明】
【０００１】
【発明の属する技術分野】
本発明は、ネットワークに接続されたネットワークデバイスを制御可能にするネットワークデバイスの制御装置及び管理方法に関するものである。
【０００２】
【従来の技術】
ローカルエリアネットワークに接続する個々のネットワークデバイスは、その接続する各ネットワークのプロトコルに特有のネットワークデバイスアドレス（以下、ネットワークアドレスと呼ぶ）によって識別され、運用・管理される。そして、このネットワークアドレスによりネットワーク上で個々の機器が特定されてホストコンピュータからデバイスを制御したり、他のネットワークデバイス相互間でデータの授受等が可能になる。
【０００３】
例えばＩＰ（Ｉｎｔｅｒｎｅｔ　Ｐｒｏｔｏｃｏｌ）プロトコルを用いたネットワークデバイスの管理やネットワークに接続された印刷装置での印刷等を行う場合、ネットワークデバイスに予めそのネットワーク内で有効なＩＰアドレスを割り当てる必要がある。
【０００４】
しかし、ネットワークデバイスをネットワークに初めて接続する場合（初期設置状態にある場合等）や、ネットワークデバイスを別のネットワークから移設する場合等は、そのネットワークデバイスに割り当てられていた移設前のネットワークアドレスはネットワークセグメントが異なるために移設後のネットワークにおいては無効なアドレスであることが多い。そのため、ユーザは、ネットワーク管理ソフトウェア等を使って、ネットワークデバイスに対して適切なネットワークアドレスを設定する必要がある。
【０００５】
有効なネットワークアドレスが割り当てられていないネットワークデバイスに対し、ネットワーク管理ソフトウェアからＬＡＮ等のネットワークを介して有効なネットワークアドレスを割り当てる場合、その通信を行うための何らかのネットワークプロトコルが必要となる。しかし、有効なネットワークアドレスを割り当てられていないネットワークデバイスはＩＰアドレス等の標準的なネットワークアドレスが未設定であるために、そのネットワークプロトコルを使用不可能な状態であり、ＳＮＭＰ等の標準的なネットワークプロトコルを使用できない。
【０００６】
この問題を解決するために、以下のような、ネットワークデバイスの制御方法が提案されている。
【０００７】
（１）このネットワークデバイスの制御方法では、ネットワーク管理ソフトウェアが探索用のパケットをブロードキャスト送信する。すると、ネットワークに接続されている複数のネットワークデバイスのそれぞれが応答パケットを送信する。
【０００８】
ネットワーク管理ソフトウェアは、各ネットワークデバイスからの応答パケットを受信して、探索されたネットワークデバイスのネットワークアドレス（例えば、ＩＰアドレス）や物理アドレス（例えば、ＭＡＣ（Ｍｅｄｉａ　Ａｃｃｅｓｓ　Ｃｏｎｔｒｏｌ）アドレス）等をリスト表示する。ユーザが、リストから、あるネットワークデバイスを選択すると、選択されたネットワークデバイスに対して、入力値（例えば、ネットワークアドレス）を設定する（例えば、特許文献１）。
【０００９】
（２）また、ネットワークデバイスに自動的に適切なネットワークアドレスを設定するための方法として、ネットワークデバイスがアドレスを要求するためのパケットを定期的にブロードキャストし、ネットワーク内に接続されたホスト上で動作するアドレス自動割当ソフトウェアがこれに応答して適切なネットワークアドレスを含む応答パケットをそのネットワークデバイスに対して返信し、これを受信したネットワークデバイスが応答パケット中のネットワークアドレスを自身に割り当てる、という方法が考えられる。
【００１０】
【特許文献１】
特開２０００−１２２９４４号公報
【００１１】
【発明が解決しようとする課題】
（１）しかしながら、上記の従来例（１）では、探索パケットを送信してネットワークデバイスを探索するため、探索パケットに応答するネットワークデバイスが全て列挙される。そのため、ネットワークに接続している複数台のネットワークデバイスの内から、ネットワークアドレスが割り当てられていないネットワークデバイス、即ち、ネットワークアドレスを割り当てなければならないデバイスをユーザが判別すること困難である。また、ネットワークアドレスが設定されていないネットワークデバイスはリストに含まれない場合がある。
【００１２】
そこで、本発明の目的は、所定の情報が設定されているネットワークデバイスと設定されていないネットワークデバイスとを、特に、ネットワークアドレスが割り当てられていないネットワークデバイスと既にネットワークアドレスが割り当てられているネットワークデバイスとを判別して表示することにある。また、ネットワークアドレスが割当てられていないネットワークデバイスを、ユーザからの指定によりまたは自動的に特定することにより、特定されたネットワークデバイスに対してネットワークアドレスを設定する。
【００１３】
（２）また、上記方法（２）では、ネットワークデバイス自身がアドレス要求パケットを定期的にブロードキャストするため、第１に、ネットワークアドレスを割り当てられていないネットワークデバイスの数が増加した場合には、ネットワークのトラフィックが増加する。第２に、前記アドレス要求パケットに応答し、適切なネットワークアドレスを応答として返信するネットワークアドレス自動割当ソフトウェアが、同一ネットワーク上で稼動していなければならない。第３に、ネットワークアドレスが自動で割り当てられたことを確認する手段がない。第４に、既に割り当てたネットワークアドレスが不用になった場合、アドレスの再利用が困難であるという問題があった。
【００１４】
本発明の目的は、この点に着目してなされたものであり、ネットワークアドレスの自動割当を行う場合には、ネットワークトラフィックを軽減するとともに、ネットワークアドレスを自動割当したネットワークデバイスをユーザが視認することが可能とすることにある。
【００１５】
また、本発明の目的は、既に割り当てられたネットワークアドレスが不用になった場合に、アドレスを再利用することが可能とすることにある。
【００１６】
【課題を解決するための手段】
上記課題を解決するために、本発明に係るネットワークデバイス管理方法は、ネットワークデバイスを探索するための第１のデータをネットワーク上にブロードキャスト送信する第１送信ステップと、前記第１送信ステップにより送信された第１のデータに対するネットワークデバイスからの第１応答データを受信する第１受信ステップと、
ネットワークデバイスを探索するための第２のデータをネットワーク上にブロードキャスト送信する第２送信ステップと、前記第２送信ステップにより送信された第２のデータに対するネットワークデバイスからの第２応答データを受信する第２受信ステップと、第１応答データを送信したネットワークデバイスと、第２応答データを送信したネットワークデバイスとを比較して、ネットワークデバイスに対する情報設定がなされているか否かをユーザが識別できるように、ネットワークデバイスの一覧を表示する一覧表示ステップと、前記一覧の中からユーザにより選択されたネットワークデバイスに対して、情報の設定をするためのデータを送信する設定ステップと、を有することを特徴とする。
【００１７】
また、本発明に係るネットワークデバイス管理方法は、ネットワークアドレスが設定されていないネットワークデバイスを探索する探索ステップと、前記探索ステップによる探索で見つかったネットワークデバイスに、割り当て可能なネットワークデバイスとして管理されているネットワークアドレスのうちの１つを割り当てる割当ステップと、ネットワークアドレスとネットワークデバイスの識別情報との組み合わせの一覧を表示ステップと、を有することを特徴とする。
【００１８】
また、本発明に係るネットワークデバイス管理方法は、ネットワークに接続されたネットワークデバイスを探索する探索ステップと、ネットワークデバイスに対する情報設定がなされているか否かをユーザが識別できるように、前記探索ステップで見つかったネットワークデバイスの一覧を表示する一覧表示ステップと、前記一覧の中からユーザにより選択されたネットワークデバイスに対して、情報の設定をするためのデータを送信する設定ステップと、情報設定がなされていないネットワークデバイスを自動的に特定して、特定したネットワークデバイスに対して、情報を設定するためのデータを送信する自動設定ステップと、を有することを特徴とする。
【００１９】
また、本発明に係るネットワークデバイス管理方法は、ネットワークに接続されたネットワークデバイスを探索する探索ステップと、探索によって見つかったネットワークデバイスのうち、ネットワークアドレスが設定されているネットワークデバイスと、ネットワークアドレスが設定されていないネットワークデバイスとを識別する識別ステップとを有することを特徴とする。
【００２０】
また、本発明に係るネットワークデバイス管理プログラムは、上記ネットワークデバイス管理方法をコンピュータに実行させることを特徴とする。
【００２１】
【発明の実施の形態】
図１は本発明にかかる実施形態の特徴を示すネットワークデバイスの構成を示す図であり、同図において、１０１はローカルエリアネットワーク（ＬＡＮ）であり、１０２及び１０４はネットワークボードである。これらのネットワークボード１０２及び１０４はネットワークデバイス１０３及び同デバイス１０５にそれぞれ装着され、デバイスとネットワークとのインタフェースとしてＬＡＮ１０１に接続する。
【００２２】
１０６はＬＡＮ１０１に接続するホストコンピュータ（以下、「ホスト」という。）であり、同ホスト上でネットワークデバイス制御プログラムが動作し、要求パケット１０８をＬＡＮ１０１に送信し、アクティブな状態で接続するネットワークボード１０２及び１０４は要求パケットを受信して、その要求パケットに対する応答パケット１０９を返信する。ここで、ネットワークボード１０２は、ＬＡＮ１０１上で有効な標準ネットワークプロトコル（例えばＩＰプロトコル）上の有効なネットワークアドレス（例えばＩＰアドレス）を持ち、ネットワークボード１０４は、有効なネットワークアドレスが割り当てられていないものと仮定する。
【００２３】
図９は、ネットワーク管理ソフトウエアが稼動可能なホスト１０６の構成を示すブロック図である。
【００２４】
図９において、ＲＯＭ９０２若しくはハードディスク（ＨＤ）９１１に記憶された、あるいはＣＤ−ＲＯＭ９１３等の記憶媒体により供給されたネットワーク管理ソフトウエアを実行するＣＰＵ９０１を備え、システムバス９０４に接続する各デバイスを統括的に制御する。
【００２５】
９０３はＲＡＭで、ＣＰＵ９０１のワークエリア等として機能する。９０５はキーボードコントローラ（ＫＢＣ）であり、キーボード（ＫＢ）９０９や不図示であるポインティングデバイスからの入力指示を制御する。９０６はＣＲＴコントローラ（ＣＲＴＣ）であり、ＣＲＴディスプレイ（ＣＲＴ）９１０を制御する。９０７はディスクコントローラ（ＤＫＣ）で、種々のアプリケーション、ユーザプログラム、編集ファイル、データベース等を記憶するハードディスク（ＨＤ）９１１及びフレキシブルディスクコントローラ（ＦＤ）９１２、ＣＤ−ＲＯＭドライブ９１３とのアクセスを制御する。９０８はネットワークインターフェースカード（ＮＩＣ）で、ＬＡＮ１０１を介してネットワークデバイスとデータのやりとりをする。ネットワーク管理ソフトウエアの詳細なモジュール構成は後に説明するが、このソフトウエアの実行の主体はハードウエア上はＣＰＵ９０１である。
【００２６】
＜コンフィグレータプロトコル＞
図２は、コンフィグレータパケットとＳＮＭＰ（Ｓｉｍｐｌｅ　Ｎｅｔｗｏｒｋ　Ｍａｎａｇｅｍｅｎｔ　Ｐｒｏｔｏｃｏｌ）パケットの一例を示す図である。（ａ）及び（ｂ）は、ネットワークデバイスの探索に用いるコンフィグレータパケットをＴＣＰ／ＩＰ上に実装した場合のパケットヘッダの一例を示す図である。また、（ｃ）及び（ｄ）は、ネットワークデバイスの探索に用いられるＳＮＭＰパケットのヘッダの一例を示す図である。これらのパケットはＵＤＰ（Ｕｓｅｒ　Ｄａｔａｇｒａｍ　Ｐｒｏｔｏｃｏｌ）ヘッダ、ＩＰ（Ｉｎｔｅｒｎｅｔ　Ｐｒｏｔｏｃｏｌ）ヘッダ、ＤＬＣ（Ｄａｔａ　Ｌｉｎｋ　Ｃｏｎｔｒｏｌ）ヘッダから構成されている。
【００２７】
ＵＤＰはＴＣＰ／ＩＰのトランスポート層プロトコルであり、ＩＰはインターネットで使われているネットワーク層プロトコルであり、いずれもコネクションレス型プロトコルである。ＤＬＣはネットワークデバイスをネットワーク上で運用、管理するデータ管理層のプロトコルである。
【００２８】
図２（ａ）は、ホスト１０６からブロードキャストされる、コンフィグレータプロトコルによる要求パケット１０８の一例であり、図２（ｂ）はその応答パケット１０９の一例である。以下、本実施形態におけるネットワークデバイスの探索及び設定に用いるプロトコルを「コンフィグレータプロトコル」とし、このコンフィグレータプロトコルに基づいたパケットを「コンフィグレータパケット」と呼ぶ。コンフィグレータプロトコルはＵＤＰ（Ｕｓｅｒ　Ｄａｔａｇｒａｍ　Ｐｒｏｔｏｃｏｌ）で実装され、コネクションの多重化によりネットワークのスループットを増やすと共に、信頼性を高めることが可能になる。
【００２９】
ホスト１０６の要求がネットワークデバイスの探索要求のブロードキャストである場合、ＤＬＣにおいて設定される宛先物理アドレス（ｄｓｔ　ＭＡＣ）は「ｆｆ：ｆｆ：ｆｆ：ｆｆ：ｆｆ：ｆｆ」とされ、ネットワークに接続するアクティブなデバイスはこのフレームを受信することができる。例えば、「ｆｆ：ｆｆ：ｆｆ：ｆｆ：ｆｆ：ｆｆ」は、全ての宛先向けを意味するブロードキャストアドレスである。物理アドレスの一例としてＭＡＣ（Ｍｅｄｉａ　Ａｃｃｅｓｓ　Ｃｏｎｔｒｏｌ）アドレスが挙げられる。
【００３０】
また、コンフィグレータパケットの宛先ポート番号（ｓｒｃ　Ｐｏｒｔ）は「８３Ｂ６Ｈ」になっている。ネットワークデバイスは、宛先ポート番号（ｓｒｃ　Ｐｏｒｔ）が「８３Ｂ６Ｈ」になっているかを確認して、送信されてきたパケットがコンフィグレータパケットであるかどうかを判断する。コンフィグレータパケットである場合には、ネットワークデバイスは、ネットワークアドレスが設定されているいないに係らず、応答パケットを送信する。ネットワークボード１０２及び１０４は、電源投入時にはアクティブな状態でＬＡＮ１０１に接続し、常にコンフィグレータパケットを受信可能な状態にある。
【００３１】
図２（ｃ）はホスト１０６からブロードキャストされるＳＮＭＰの要求パケットに対応するパケットヘッダの一例であり、図２（ｄ）はその応答パケットに対応するパケットヘッダである。
【００３２】
ホスト１０６の要求がネットワークデバイスの探索要求のブロードキャストである場合、ＤＬＣにおいて設定される宛先物理アドレス（ｄｓｔ　ＭＡＣ）は「ｆｆ：ｆｆ：ｆｆ：ｆｆ：ｆｆ：ｆｆ」とされ、ネットワークに接続するアクティブなデバイスはこのフレームを受信することができる。
【００３３】
また、ＳＮＭＰによるパケットの宛先ポート番号（ｓｒｃ　Ｐｏｒｔ）は「１６１」になっている。ネットワークデバイスは、宛先ポート番号（ｓｒｃ　Ｐｏｒｔ）が「１６１」になっているかを確認して、送信されてきたパケットがＳＮＭＰパケットであるかどうかを判断する。ＳＮＭＰパケットである場合でも、ネットワークアドレスが設定されていない場合には、ネットワークデバイスは、応答パケットを送信しない。
【００３４】
デバイスに対するその他の要求（探索要求以外の要求、例えば、設定要求）の場合、例えば、図１のネットワークボード１０２に対する要求パケットの場合は、そのネットワークボード１０２の物理アドレスがＤＬＣにおける宛先物理アドレス（ｄｓｔ　ＭＡＣ）に設定される。これにより、ネットワークボード１０２は、ホスト１０６から送信されたパケットフレームを受信することが可能となる。コンフィグレータパケットにおける設定要求パケットでは、宛先物理アドレスを利用して、ネットワークアドレスが設定されていないネットワークデバイスに対しても情報を設定することができる。
【００３５】
また、ネットワークデバイスの探索要求においては、ＩＰにおいて設定される送信先ＩＰアドレス（ｄｓｔ　ＩＰ）は「２５５．２５５．２５５．２５５」とされる。その他の要求の場合は、ホスト１０６に割り当てられているＩＰアドレスとは異なるＩＰアドレスで、ＬＡＮ１０１内で有効な任意のＩＰアドレス（送信先のネットワークデバイスのＩＰアドレス）を設定することが可能である。これにより、送信先のネットワークデバイスは、ホスト１０６からのパケットフレームを受信することが可能となる。
【００３６】
＜コンフィグレータパケットデータの詳細＞
図３は、図２におけるコンフィグレータプロトコルにおけるパケットのデータ部の構造の詳細である。個々の項目の詳細は以下の通りである。
【００３７】
Ｖｅｒｓｉｏｎ　（２　ｂｙｔｅｓ）：　バージョン番号
Ｃｏｍｍａｎｄ　Ｃｏｄｅ　（２　ｂｙｔｅｓ）：　本パケットで要求する機能を示すコード
０：　Ｓｅｔ（設定）
１：　Ｇｅｔ（参照）
４：　Ｄｉｓｃｏｖｅｒｙ（探索）
Ｒｅｓｕｌｔ　Ｃｏｄｅ　（２　ｂｙｔｅｓ）：　要求された結果を示すコード
０ｘ００００：　成功
０ｘ０００１：　指定プロトコルスタックなし
０ｘ０００２：　バージョン異常
０ｘ０１００：　プロトコル設定異常（詳細不明）
０ｘ０１０１：　プロトコル設定異常（ＮｅｔＷａｒｅ　ＩＰＸ）
０ｘ０１０２：　プロトコル設定異常（ＴｃｐＩｐ）
Ｐｒｏｔｏｃｏｌ　Ｉｎｆｏｒｍａｔｉｏｎ：　それぞれのプロトコル情報に対応するフラグ。
【００３８】
Ｒｅｑｕｅｓｔ　Ｃｏｄｅが０（設定）の場合、対応するバイトが１のプロトコルに関する情報のみが設定される。Ｒｅｑｕｓｔ　Ｃｏｄｅが１（参照）又は４（探索）の場合、ネットワークボードが該当プロトコルスタックを実装している場合に設定される。
【００３９】
ＮｅｔＷａｒｅ　ｆｒａｍｅ　ｔｙｐｅｓ：　ＩＰＸプロトコルで使用されるフレームタイプ。複数のフレームタイプを設定可能な場合、これらの値のＯＲが取られる。
【００４０】
ＦｒａｍｅＴｙｐｅ　（２　ｂｙｔｅｓ）：　ＮｅｔＷａｒｅで使用するフレームタイプ。
【００４１】
Ｅｔｈｅｒｎｅｔ（登録商標）の場合：
０：　Ｄｉｓａｂｌｅ（ＮｅｔＷａｒｅ使用不可）
１：　８０２．３
２：　８０２．２
４：　Ｅｔｈｅｒｎｅｔ（登録商標）ＩＩ
８：　８０２．２ＳＮＡＰ
１６：　Ａｕｔｏ　Ｓｅｎｓｅ（自動検出）
ＩＰ　Ｉｎｆｏ：　ＴＣＰ／ＩＰに関連する情報の設定、参照及び能力誰何を行うフィールドである。
【００４２】
ＦｒａｍｅＴｙｐｅ　（２　ｂｙｔｅｓ）
ＴＣＰ／ＩＰで使用するフレームタイプ
０：　Ｄｉｓａｂｌｅ（ＴＣＰ／ＩＰ　使用不可）
４：　Ｅｔｈｅｒｎｅｔ（登録商標）ＩＩ
ＩＰ　Ｍｏｄｅ　（２　ｂｙｔｅｓ）：　ＩＰ環境の取得方法。複数のＩＰ　Ｍｏｄｅを指定可能な場合、これらの値のＯＲが取られる。
０：　ＩＰ固定（ＮＶＲＡＭ値より立ち上がる）
１：　ＢＯＯＴＰ　ｖａｌｉｄ
２：　ＲＡＲＰ　ｖａｌｉｄ
４：　ＤＨＣＰ　ｖａｌｉｄ
ＩＰ　ａｄｄｒｅｓｓ　（４　ｂｙｔｅｓ）：　ネットワークボードのＩＰアドレス
Ｇａｔｅｗａｙ　ａｄｄｒｅｓｓ　（４　ｂｙｔｅｓ）：　ネットワークボードのＧａｔｅｗａｙアドレス
Ｓｕｂｎｅｔｍａｓｋ　（４　ｂｙｔｅｓ）：　ネットワークボードのサブネットマスク
ＭＡＣ　ａｄｄｒｅｓｓ　（６　ｂｙｔｅｓ）：　ボードのＭＡＣアドレス。ＲｅｑｕｅｓｔＣｏｄｅが４（Ｄｉｓｃｏｖｅｒｙ（探索））以外の場合で、本フィールドの値とネットワークボードのＭＡＣアドレスが一致しない場合、パケットは無視される。
【００４３】
＜ネットワーク管理プログラムの説明＞
次に、ホスト１０６上において動作するネットワーク管理プログラムについて説明する。ＬＡＮ１０１に接続するネットワークデバイス１０３及び１０５のネットワークインターフェース部分（ネットワークボード１０１、１０４）には、ＭＩＢ（Ｍａｎａｇｅｍｅｎｔ　Ｉｎｆｏｒｍａｔｉｏｎ　Ｂａｓｅ）と呼ばれる標準化されたデータベースが構築されており、ＳＮＭＰ（Ｓｉｍｐｌｅ　Ｎｅｔｗｏｒｋ　Ｍａｎａｇｅｍｅｎｔ　Ｐｒｏｔｏｃｏｌ）というネットワーク管理プロトコルを介してネットワーク上のホスト１０６と通信し、ホストとネットワークデバイス相互間の通信が可能になっている。
【００４４】
一方、ホスト１０６上では、ネットワーク管理プログラムと呼ばれるソフトウェアプログラムが動作しており、ネットワークを介して上述のＳＮＭＰの利用によりＭＩＢ（Ｍａｎａｇｅｍｅｎｔ　Ｉｎｆｏｒｍａｔｉｏｎ　Ｂａｓｅ：管理情報ベース）を使って必要な情報交換が可能となる。
【００４５】
図４は、ネットワーク管理プログラムのモジュール構成を示す図である。同図において４０１は、ネットワーク管理プログラムが動作するオペレーティングシステムの提供するネットワークＡＰＩ（Ａｐｐｌｉｃａｔｉｏｎ　Ｐｒｏｇｒａｍ　Ｉｎｔｅｒｆａｃｅ）である。この例では、Ｕｎｉｘ（登録商標）やＭｉｃｒｏｓｏｆｔ　Ｗｉｎｄｏｗｓ（登録商標）で用いられるＳｏｃｋｅｔ　ＡＰＩを用いている。
【００４６】
４０２は上位のＴＣＰ／ＩＰプロトコル上でＵＤＰパケットの送受信を行うためのＵＤＰハンドラであり、上位のコンフィグレータプロトコル４０３やＳＮＭＰプロトコル４０６を扱うためのモジュールにより呼び出され、これらのプロトコルパケットの送受信を処理する。
【００４７】
４０４はコンフィグレータプロトコル４０３を用いたネットワークデバイスの探索を行う第１探索モジュールであり、このモジュールの処理に基づいて探索されたデバイスは第１デバイスリスト情報（４０５）として記憶手段に記憶される。また、４０７はＳＮＭＰプロトコルを用いたネットワークデバイスの探索を行う第２探索モジュールであり、このモジュールにより探索されたネットワークデバイスは第２デバイスリスト情報（４０８）として記憶手段に記憶される。
【００４８】
４０９は、コンフィグレータプロトコル４０３及びＳＮＭＰプロトコル４０６により探索された両デバイスリスト、即ち第１デバイスリスト４０５及び第２デバイスリスト４０８に基づき、それぞれの探索で見つかったネットワークデバイスを表示して、ネットワークアドレスが未設定であるデバイスをユーザに判別可能な形で表示し、この表示されたリスト中よりネットワークアドレスの設定を行うネットワークデバイスを選択するユーザー・インターフェース（ＵＩ）モジュールである。
【００４９】
４１０はデバイスリスト表示ＵＩモジュール４０９より選択されたネットワークデバイスに対して、ネットワークアドレス等の情報設定を行うためのＵＩモジュールである。デバイスリスト表示ＵＩモジュール４０９及びデバイス設定ＵＩモジュール４１０により表示されるデバイスリスト及びネットワークデバイスのネットワーク設定画面の例を図６及び図７に示す。
【００５０】
図６はデバイスリスト表示ＵＩモジュール４０９により表示されるデバイスリストの表示画面例を示す図である。ホスト１０６からＬＡＮ１０１に対してデバイスの探索要求がブロードキャストされた場合、コンフィグレータプロトコル４０３による探索要求パケットにのみ応答したネットワークデバイスと、標準ネットワークプロトコル（ＳＮＭＰ）を用いた探索要求パケットに応答した標準プロトコル上で有効なネットワークアドレスを持つネットワークデバイスが、ユーザに判別の付く表示形式で表示されている。
【００５１】
この表示例では、標準ネットワークプロトコルにおけるネットワークアドレスとしてＩＰアドレスが用いられており、有効なＩＰアドレスを持つデバイスに関しては、ＩＰアドレスが表示されている。表示例では、２台のネットワークデバイスがＩＰアドレス未設定の状態であり（６０１、６０２）、６台のネットワークデバイスには有効なネットワークアドレスが設定されているデバイスとして表示されている（６０３〜６０８）。また、ＩＰアドレスが未設定のネットワークデバイスを判別するために、ここでは、ネットワークボードのＭＡＣアドレスが表示されている。ＭＡＣアドレスは図２（ａ）の要求パケットデータにおけるＤＬＣの宛先物理アドレス（ブロードキャスト）に対して、応答パケット（図２（ｂ））で各ネットワークデバイスが応答した物理アドレスに基づくものである。
【００５２】
なお、ネットワークアドレスが設定されているネットワークデバイスと、ネットワークアドレスが未設定のネットワークアドレスとを区別するために、異なるアイコンを使用しても良い。
【００５３】
図７はデバイス設定ＵＩモジュール４１０により表示され、図６のリストの中から指定されたネットワークデバイスに対して、具体的なネットワークの設定を行うためのインタフェース画面を例示する図である。この画面から、所定のプロトコル（ＴＣＰ／ＩＰ等）におけるフレームタイプ、ＩＰアドレスの設定方法等を指定することができる。この画面において７０１〜７０７に関する諸設定をして、「了解」ボタン（７０８）を押すと、ネットワーク設定プログラムは情報設定パケット（設定要求パケット）を生成して、指定されたネットワークデバイスに対して情報設定パケットを送信（図５の５０９）し、ネットワークを介した情報の設定を行う。
【００５４】
次に図８のフローチャートを用いてネットワークデバイスに対する情報設定の手順を説明する。このフローチャートに基づく処理は、ネットワーク管理プログラムによって制御される。
【００５５】
図８のステップＳ８０１において、ネットワークデバイスの探索を行なうために、第１探索モジュール（４０４）はコンフィグレータプロトコルに基づく探索要求パケット１を生成して、ネットワークデバイスに対してブロードキャスト送信する。この探索要求パケット１は、先に述べたように宛先物理アドレス（ｄｓｔ　ＭＡＣ）＝「ｆｆ：ｆｆ：ｆｆ：ｆｆ：ｆｆ：ｆｆ」、宛先パケット番号（ｓｒｃ　Ｐｏｒｔ）＝「８３Ｂ６Ｈ」のブロードキャストパケットであるので、ネットワークに接続するアクティブなデバイスはこのフレームを受信することができる。
【００５６】
探索要求パケット１を受信する各ネットワークデバイスは応答パケットを生成して送信する（Ｓ８１０、Ｓ８２０）。
【００５７】
ステップＳ８０２において、各ネットワークデバイスから送信された応答パケットをＳｏｃｋｅｔ　ＡＰＩ４０１が受信する。その際、受信した各応答パケットのデータ部を第１デバイスリスト情報として記憶手段に記憶する（Ｓ８０３）。
【００５８】
次にステップＳ８０４において、ネットワークデバイスの探索を行なうために、第２探索モジュールはＳＮＭＰプロトコルに基づく探索要求パケット２をブロードキャスト送信する。この探索要求パケット２は、先に述べたように送信先ＩＰアドレス＝２５５．２５５．２５５．２５５、宛先ポート番号（ｓｒｃ　Ｐｏｒｔ）＝「１６１」のブロードキャストパケットであるので、同一のサブネットに接続しているネットワークデバイスに到達する。
【００５９】
各ネットワークデバイスはこの探索要求パケット２に対して応答パケットを生成して送信する（Ｓ８３０、Ｓ８４０）。なお、ＩＰアドレスが設定されていないネットアークデバイスは、探索要求パケット２を受信できないか、或いは受信できても探索要求パケット２を破棄してしまうため、応答パケットを送信しない。
【００６０】
ステップＳ８０５において、各ネットワークデバイスから送信された応答パケットを受信し、その際、受信した各応答パケットのデータ部を第２デバイスリスト情報として記憶手段に記憶する（Ｓ８０６）。
【００６１】
ステップＳ８０７において、ネットワークデバイスリスト表示ＵＩモジュール４０９は、上述のステップＳ８０３及びＳ８０６の処理において格納されている第１及び第２デバイスリスト情報をコールして、その内容をリスト表示する。このリスト表示は図６で説明したように、ＩＰアドレスが設定されているデバイスと、未設定のデバイスとを判別できるような状態で表示するものである。
【００６２】
ステップＳ８０８において、ステップＳ８０７でリスト表示されたネットワークデバイスのうちから不図示の入力手段により選択したネットワークデバイスに対して、所定のネットワーク情報の設定をする（図７）。ここで設定された内容に基づき、デバイス設定ＵＩモジュール４１０は情報設定パケットを生成し、選択されたネットワークデバイスに対して物理アドレスを宛先として送信する。
【００６３】
ステップＳ８５０において、選択されたネットワークデバイスは、その情報設定パケットを受信して、そのパケットのデータ部に設定されている内容を自機の情報として設定する。設定後、そのネットワークデバイスは情報設定応答パケットを生成し、ホスト１０６に送信する（Ｓ８６０）。
【００６４】
ホスト１０６は選択したネットワークデバイスから情報設定応答パケットを受信して処理を終了する（Ｓ８０９）。
【００６５】
以上の手順によりネットワークデバイスに対してネットワーク情報の設定を行ない、ネットワーク上において通信、制御が可能な状態とすることができる。
【００６６】
図５は、ホスト１０６上のネットワーク管理ソフトウエアが、ネットワークボード１０２及び１０４と通信して、ネットワークボード１０２、１０４の設定を行う際のパケットの送受信の流れ及び処理の流れを示すシーケンス図である。
【００６７】
ネットワーク管理ソフトウエアは先ず、ＬＡＮ１０１に対して、コンフィグレータプロトコルを用いた探索要求パケット１のブロードキャスト送信を行う（５０１）。
【００６８】
ＬＡＮ１０１に接続するネットワークボード１０２及び１０４は、コンフィグレータプロトコルの探索要求パケット１を受信し自身の現在の設定を応答パケットとして送信する（５０２）。
【００６９】
ネットワーク管理ソフトウェアは、ネットワークボード１０２及び１０４から返信された探索応答パケットの内容に基づき、探索要求パケット５０１に応答したネットワークデバイスに関する第１デバイスリストを作成し、これを不図示の記憶手段に記憶する（５０３）。
【００７０】
続いて、ホスト１０６上のネットワーク管理ソフトウエアはＬＡＮ１０１に対して、標準プロトコルを用いたネットワークデバイスの探索要求パケット２のブロードキャスト送信を行う（５０４）。ここで用いられる標準プロトコルとは、例えば、ＩＰプロトコル上のＳＮＭＰ（Ｓｉｍｐｌｅ　Ｎｅｔｗｏｒｋ　Ｍａｎａｇｅｍｅｎｔ　Ｐｒｏｔｏｃｏｌ）であり、探索パケットとは、ホスト１０６（マネージャ）から管理対象デバイス（エージェント）に対する管理情報の収集に関するもので、ＳＮＭＰの”ＧＥＴ”或いは”ＧＥＴ−ＮＥＸＴ”に従うオペレーション要求である。ＬＡＮ１０１上で、標準プロトコルに関して有効なネットワークアドレスを持つネットワークボード１０２は、探索要求パケット２を受けて、これに対して、探索応答パケット２を返す（５０５）。しかし、標準プロトコルに関して有効なネットワークアドレスを未だに割り当てられていないネットワークボード１０４は、この探索要求パケット２に対して応答を返すことが出来ない。ネットワーク管理ソフトウェアは、探索要求パケット２（５０４）に応答したネットワークデバイスに関する第２デバイスリストを作成し、これを不図示の記憶手段に保存する（５０６）。
【００７１】
ネットワーク管理ソフトウェアは、探索応答パケット１に基づくデバイスリスト１と、探索応答パケット２に基づくデバイスリスト２とに基づき、ＬＡＮ１０１に接続するネットワークデバイスの内、探索要求パケット２に対して応答が可能なネットワークデバイスを識別することが可能になる。その結果、ネットワーク管理ソフトウエアはＬＡＮ１０１上で有効な標準プロトコルに対して有効なネットワークアドレスを割り当てられているネットワークデバイス、例えばネットワークボード１０２と、有効なネットワークアドレスを割り当てられていないネットワークデバイス（未設定ネットワークデバイス装置と呼ぶ）、例えばネットワークボード１０４とを、ユーザに識別可能な形で、リスト表示する（５０７）。
【００７２】
リスト表示されたデバイスリストから、ユーザは標準プロトコルに対して有効なネットワークアドレスが未設定なネットワークデバイス、例えばネットワークボード１０４を選択し、ネットワークに関する設定値、例えば未設定ネットワークデバイスに割り当てるネットワークアドレスを入力する（５０８）。ここで入力されたネットワークアドレスの設定値に基づいて、情報設定パケットを生成し、ネットワークボード１０４に対して情報設定パケットを送信する（５０９）。
【００７３】
ネットワークボード１０４は情報設定パケットを受信して、その内容に基づいてネットワークボードのネットワーク設定を行い（図８のステップＳ８５０）、ネットワーク管理プログラムに対して情報設定応答パケットを返す（５１０）。ホスト１０６上のネットワーク管理ソフトウエアはネットワークボード１０４からの情報設定応答パケット５１０を受信して処理を終了する（図８のＳ８０９）。
【００７４】
以上説明したように、本実施形態にかかるネットワークデバイス制御装置及び方法によれば、ネットワーク上に接続するネットワークデバイスを独自のプロトコルであるコンフィグレータプロトコルによる探索により見つかったネットワークデバイスのリストと、標準ネットワークプロトコルによる探索により見つかった有効なネットワークアドレスを持つネットワークデバイスのリストと、に基づいて検索結果の差分を取ることにより、標準ネットワークプロトコル上で有効なネットワークアドレスを持たないネットワークデバイスを、有効なネットワークアドレスを持つネットワークデバイスと判別できる状態で表示することが可能となる。
【００７５】
この判別表示に基づいて、有効なネットワークアドレスが未設定のネットワークデバイスに対しては、そのデバイスを特定して、個別の設定に基づく情報設定パケットを生成し、配信することによりネットワーク情報の設定をすることが可能になる。ネットワークデバイスに対するネットワーク情報の設定により、ネットワークデバイスを、ネットワーク上において通信、制御が可能な状態とすることができる。
【００７６】
次は、ネットワークデバイスにネットワークアドレスを自動的に割当てる場合の実施形態を説明する。
【００７７】
以下では、図１の１０６が、自動アドレス割当装置（以下、「アドレス割当装置」と略して言う）である。ネットワークアドレス自動割当プログラムは、アドレス割当装置１０６上で動作し、ＬＡＮ１０１を介してネットワークボード１０２及び１０４つ通信する。
【００７８】
図１０は、アドレス割当装置１０６上で動作する前記ネットワークアドレス自動割当プログラムのモジュール構成を示すブロック図である。
【００７９】
図１０において、モジュール１００１は、ネットワークアドレス自動割当プログラムが動作するオペレーティングシステムが提供するネットワークＡＰＩ（Ａｐｐｌｉｃａｔｉｏｎ　Ｐｒｏｇｒａｍ　Ｉｎｔｅｒｆａｃｅ）である。図示例では、Ｕｎｉｘ（登録商標）やＭｉｃｒｏｓｏｆｔ　Ｗｉｎｄｏｗｓ（登録商標）で利用されるＳｏｃｋｅｔ　ＡＰＩを用いている。
【００８０】
モジュール１００２は、上位のモジュールがＵＤＰ（Ｕｓｅｒ　Ｄａｔａｇｒａｍ　Ｐｒｏｔｏｃｏｌ）パケットの送受信をするためのハンドラである。
【００８１】
モジュール１００３は、ＬＡＮ１０１に接続された標準プロトコル上のネットワークアドレスが未設定のネットワークデバイスを探索するためのモジュールであり、探索されたネットワークアドレス未設定ネットワークデバイスのリストは未設定デバイスリスト１００４に格納される。
【００８２】
モジュール１００５は、未設定ネットワークデバイスにネットワークアドレスを割り当てるための処理をするモジュールである。
【００８３】
モジュール１００６は、未設定ネットワークデバイスに設定可能なネットワークアドレスのリストを管理するアドレスプールである。
【００８４】
モジュール１００７は、未設定ネットワークデバイスを探索し、これら未設定ネットワークデバイスにアドレスプール中のネットワークアドレスを割り当てる処理全体を制御するモジュールである。
【００８５】
モジュール１００８は、割り当てられたネットワークアドレスとネットワークデバイスの固有情報をリスト管理するモジュールである。
【００８６】
モジュール１００９は、管理モジュール１００８により管理される設定済デバイスリストを表示選択するためのユーザインターフェイスであり、ここでは、必要に応じてＳＮＭＰ（Ｓｉｍｐｌｅ　Ｎｅｔｗｏｒｋ　Ｍａｎａｇｅｍｅｎｔ　Ｐｒｏｔｏｃｏｌ）を用いてネットワークデバイスに関する情報を収集し、併せて表示するようにしている。ここで選択されたネットワークデバイスに対して、詳細設定ユーザインターフェイス（ＵＩ）１０１０を開き、ユーザは、選択されたネットワークデバイスに関する詳細情報を入力する。
【００８７】
モジュール１０１１は、詳細設定ＵＩ１０１０で入力された設定情報をネットワークデバイスに設定する処理を行うモジュールであり、図示例では、標準ネットワークプロトコルであるＳＮＭＰを用いて詳細設定を実現しており、ＳＮＭＰハンドラ１０１２を呼び出し、ネットワークデバイスに対して設定を行う。
【００８８】
図１１は、上記アドレス自動割当プログラム全体の手順を示すフローチャートである。
【００８９】
同図において、まず、ＬＡＮ１０１に接続された、標準プロトコル上のネットワークアドレスが未設定のネットワークデバイスを探索する（ステップＳ１１０１）。ネットワークアドレスが未設定のネットワークデバイスを探索するために、アドレス自動割当プログラムは、ステップＳ８０１〜８０６を実行する。そして、第１デバイスリスト情報にリストアップされているネットワークデバイスであって、第２デバイスリスト情報にリストアップされていないネットワークデバイスを特定し、特定したネットワークデバイスを、ネットワークアドレスが未設定のネットワークデバイスとみなす。
【００９０】
また、図５または図８の処理が終了した後に、ユーザからの自動割当の指示に応じて、アドレス自動割当プログラムが実行された場合には、ステップＳ８０４で保存された第１デバイスリスト情報及びステップＳ８０６で保存された第２デバイスリスト情報に基づいて、ネットワークアドレスが未設定のネットワークデバイスを探索しても良い。この場合には、ネットワーク管理プログラムに、アドレス自動割当プログラムを読み出すためのボタンまたはメニューを用意する。
【００９１】
ステップＳ１１０１の処理でネットワークアドレス未設定のデバイスが探索された場合には、探索されたネットワークアドレス未設定デバイスに対して、ネットワークデバイスに割当可能なネットワークアドレスのプールからネットワークアドレスを取り出し、これを割り当てる（ステップＳ１１０２→Ｓ１１０３）。
【００９２】
次に、ステップＳ１１０３で割り当てたネットワークアドレスとネットワークデバイスの固有情報、例えばＭＡＣ（Ｍｅｄｉａ　Ａｃｃｅｓｓ　Ｃｏｎｔｒｏｌ）アドレスとを割当済みリストに登録する（ステップＳ１１０４）。
【００９３】
そして、ステップＳ１１０３およびＳ１１０４の処理を、ステップＳ１１０１で探索された未設定ネットワークデバイス全てに対して行う。
【００９４】
全てのネットワークアドレスが未設定のネットワークデバイスに対してネットワークアドレスの割り当てが終了すると、ネットワークアドレスを割り当てたネットワークデバイスの一覧を表示する（ステップＳ１１０２→Ｓ１１０５）。このとき、必要に応じて、ＳＮＭＰ等の標準プロトコルまたは独自プロトコルを用いて、個々のネットワークデバイスに関する所定の情報を収集し、併せて表示するようにしてもよい。
【００９５】
ユーザがネットワークデバイスに対する更なる詳細設定を行わないと判断した場合には、本プログラムは終了する（ステップＳ１１０６→終了）。
【００９６】
一方、そうでない場合には、ユーザは、詳細設定を行うネットワークデバイスをリストから選択し（ステップＳ１１０７）、詳細設定ダイアログを用いて設定値を入力し（ステップＳ１１０８）、入力された情報をネットワークデバイスに設定する（ステップＳ１１０９）。
【００９７】
図１２は、上記ステップＳ１１０５の処理により、ネットワークアドレスを割り当てたネットワークデバイスの一覧を表示するユーザインターフェイスの一例を示す図である。図示例では、ネットワークアドレスを割り当てたネットワークデバイスの、割り当てたネットワークアドレス、ＭＡＣアドレス、デバイスの製品名称を表示している。なお、デバイスを識別可能にするための情報は、ＭＡＣアドレスや製品名称の他、デバイスの概観を示す画像、デバイスに対してユーザにより名づけられたデバイス名、デバイスの型番などであってもよい。ここで、ネットワークデバイスを選択して、「詳細設定」ボタンを押すことにより、選択されたネットワークデバイスの詳細設定を行うためのダイアログを表示する。また、「終了」ボタンを押すことによりプログラムは終了する。
【００９８】
図１３は、上記ステップＳ１１０８の処理によって表示されたネットワークデバイスの詳細設定ダイアログの一例を示す図である。
【００９９】
ユーザは、この画面から設定値を入力し、「了解」ボタンを押すことにより、入力された設定値をネットワークデバイスに設定することができる。
【０１００】
図１４は、変形されたアドレス割当装置上で動作するネットワークアドレス自動割当プログラムのモジュール構成を示すブロック図である。同図中、モジュール１００１〜１００８および１０１２は、図２の対応するモジュールと共通である。図１４のネットワークアドレス自動割当プログラムでは、図１０のネットワークアドレス自動割当プログラムに対して、モジュール１２１とモジュール１２２とが追加されている。
【０１０１】
図１４において、モジュール１２１は、ＬＡＮ１０１の標準プロトコル上で有効なネットワークアドレスを持つネットワークデバイスを探索するモジュールであり、図示例では、ＳＮＭＰを用いて探索機能を実現している。
【０１０２】
モジュール１２２は、ネットワークアドレス管理モジュールである。
【０１０３】
図１５は、ネットワークアドレス管理モジュールでなされるネットワークアドレス管理処理の手順を示すフローチャートである。
【０１０４】
同図において、まず、ネットワーク６上に、既に有効なネットワークアドレスを持つネットワークデバイスを探索し、探索で見つかったネットワークデバイスに関して、ネットワークアドレスとネットワークデバイスの個別情報との組をリストＡに保存する（ステップＳ１５０１）。
【０１０５】
そして、リストＡに要素がない場合には、本処理は終了し（ステップＳ１５０２→終了）、リストＡに要素がある場合には、リストＡよりネットワークアドレスとネットワークデバイスの個別情報との組を一つ取り出す（Ｓ１５０３）。ここで、仮に取り出した個別情報を持つネットワークデバイスを「ネットワークデバイスＤ」、ネットワークアドレスを「ネットワークアドレスＮ」とする。
【０１０６】
次に、ネットワークデバイスＤが、ネットワークアドレスが自動的に割当てられたネットワークデバイスのリスト（設定済リストＢ）内に存在するかを確認するために、設定済みリストＢを検索する（ステップＳ１５０４）。なお、設定済リストＢには、各ネットワークデバイスのネットワークアドレスが格納されている。
【０１０７】
検索の結果、ネットワークデバイスＤが設定済リストＢ中に存在しない場合には、リストＡ中の次の要素に対して、同様の処理を行う（ステップＳ１５０５→Ｓ１５０２）。
【０１０８】
一方、設定済リストＢ中にネットワークデバイスＤが存在する場合には、設定済リスト中のネットワークデバイスＤに割り当てたネットワークアドレス（「ネットワークアドレスＭ」とする）と「ネットワークアドレスＮ」とを比較する（ステップＳ１５→Ｓ１６）。
【０１０９】
比較の結果が同じ場合には、リストＡ中の次の要素に対して、同様の処理を行う（ステップＳ１５０７→Ｓ１５０２）。
【０１１０】
比較の結果、異なる場合には、設定済リストからネットワークデバイスＤに関する情報を削除し、「ネットワークデバイスＤ」に割当てられている「ネットワークアドレスＭ」を、未設定デバイスに割り当てることのできるネットワークアドレスとして、アドレスプールに返却する（ステップＳ１７→Ｓ１８）。つまり、現在、「ネットワークデバイスＤ」には「ネットワークアドレスＮ」が割当てられているので、「ネットワークアドレスＭ」は使われていないことになる。従って、「ネットワークアドレスＭ」を他のネットワークアドレスに割当ててもいいようにする。
【０１１１】
上記の処理をステップＳ１５０１の探索で見つかったネットワークデバイス全てに対して行う。
【０１１２】
以上説明したように、本発明によれば、ネットワークアドレス自動割当プログラム側でネットワークアドレス未設定デバイスを探索するようにしたので、ネットワークトラフィックの軽減を図ることができる。
【０１１３】
また、自動でネットワークアドレスを割り当てたネットワークデバイスを記憶し表示するようにしたので、ユーザに対して、自動でネットワークアドレスを割り当てたネットワークデバイスを認識させると同時に、ネットワークデバイスを正しく動作させるための更なる設定を行うよう促すことが可能となる。
【０１１４】
さらに、本発明によれば、ネットワークアドレスを自動で割り当てたネットワークデバイスに、後に別のネットワークアドレスが割り当て直された場合には、以前に割り当てたネットワークアドレスを、自動設定可能なネットワークアドレスのプールに返却するようにしたので、ネットワークアドレスの有効な利用が可能となる。
【０１１５】
＜他の実施の形態＞
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【０１１６】
この場合、記憶媒体から読出されたプログラムコード自体が本発明の新規な機能を実現することになり、そのプログラムコードを記憶した記憶媒体は本発明を構成することになる。
【０１１７】
プログラムコードを供給するための記憶媒体としては、たとえば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。また、通信ネットワークを介してサーバコンピュータからプログラムコードが供給されるようにしてもよい。
【０１１８】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【０１１９】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【０１２０】
【発明の効果】
以上説明したように、本発明によれば、必要な情報が設定されていないネットワークデバイスを、例えば有効なネットワークアドレスを持たないネットワークデバイスを、必要な情報が設定されているネットワークデバイスと識別できる状態で表示することが可能となる。
【０１２１】
また、ユーザが、表示を見て、必要な情報が未設定のネットワークデバイスを識別・指定することにより、或いは、必要な情報が未設定のネットワークデバイスを自動的に特定することにより、指定された或いは特定されたネットワークデバイスに対して、情報を設定するためのデータを送信することができ、ネットワークデバイスに対する情報の設定を比較的容易にすることが可能となる。
【０１２２】
本発明によれば、ネットワークアドレスの自動割当を行う場合には、ネットワークデバイスがアドレスを要求するためのパケットを定期的にブロードキャストして応答パケット中のネットワークアドレスを自身に割り当てるという方法に比べて、ネットワークトラフィックを軽減することができる。
【０１２３】
また、ネットワークアドレスを自動割当したネットワークデバイスをユーザが視認することを可能にする。
【図面の簡単な説明】
【図１】本発明にかかる実施形態の特徴を最もよく表すネットワークデバイスの構成を示す図である。
【図２】ネットワークデバイスの探索及びネットワークデバイスに対する諸設定に用いるコンフィグレータパケットをＴＣＰ／ＩＰ上に実装した場合のパケットヘッダの一例を示す図である。
【図３】図２におけるコンフィグレータプロトコルにおけるパケットのデータ部の構造を示す図である。
【図４】ネットワーク管理プログラムのモジュール構成を示す図である。
【図５】ホスト１０６上のネットワーク管理ソフトウエアが、ネットワークボード１０２及び１０４と通信して、ネットワークボード１０２、１０４の設定を行う際のパケットの送受信の流れ及び処理の流れを示すシーケンス図である。
【図６】デバイスリスト表示ＵＩモジュール４０９により表示されるデバイスリストの表示画面例を示す図である。
【図７】デバイス設定ＵＩモジュール４１０により表示され、図６の表示で指定されたネットワークデバイスに対して、具体的なネットワークの設定を行うためのインタフェース画面を例示する図である。
【図８】ネットワークデバイスに対する情報設定の手順を説明するフローチャートである。
【図９】ネットワーク管理ソフトウエアが稼動可能なホストコンピュータの構成を示すブロック図である。
【図１０】ネットワークアドレス自動割当プログラムのモジュール構成を示すブロック図である。
【図１１】アドレス自動割当プログラム全体の手順を示すフローチャートである。
【図１２】ネットワークアドレスを割り当てたネットワークデバイスの一覧を表示するユーザインターフェイスの一例を示す図である。
【図１３】ネットワークデバイスの詳細設定ダイアログの一例を示す図である。
【図１４】本発明の第２の実施の形態に係るアドレス割当装置上で動作するネットワークアドレス自動割当プログラムのモジュール構成を示すブロック図である。
【図１５】ネットワークアドレス管理モジュールでなされるネットワークアドレス管理処理の手順を示すフローチャートである。
【符号の説明】
１０１　ローカルエリアネットワーク
１０２、１０４　ネットワークボード
１０３、１０５　ネットワークデバイス
１０６　ホストコンピュータ
９０１　ＣＰＵ
９０２　ＲＯＭ
９０３　ＲＡＭ
９０４　システムバス
９０９　キーボード
９１０　ＣＲＴ
９１１　ＨＤ
９１２　ＦＤ
９１３　ＣＤ−ＲＯＭ
【図１】
2004048649.tif 000003
【図２】
2004048649.tif 000004
【図３】
2004048649.tif 000005
【図４】
2004048649.tif 000006
【図５】
2004048649.tif 000007
【図６】
2004048649.tif 000008
【図７】
2004048649.tif 000009
【図８】
2004048649.tif 000010
【図９】
2004048649.tif 000011
【図１０】
2004048649.tif 000012
【図１１】
2004048649.tif 000013
【図１２】
2004048649.tif 000014
【図１３】
2004048649.tif 000015
【図１４】
2004048649.tif 000016
【図１５】
2004048649.tif 000017